(57)【要約】【課題】建物内の床開口部に資材を置いたり、この床開口部を通して揚重したりできる荷受ステージを提供すること。【解決手段】荷受ステージ２０は、建物１０の床開口部１１に設けられる。荷受ステージ２０は、所定階の床開口部１１に一端側で開閉可能に軸支されたステージ本体２１と、所定階の直上階の躯体とステージ本体２１の他端側とを連結するチェーンブロック２２と、を備える。チェーンブロック２２のチェーン２４を巻き上げると、ステージ本体２１が開いた状態となり、チェーン２４を巻き出すと、ステージ本体２１が閉じた状態となる。【選択図】図１
2020200731.tif 000002
【特許請求の範囲】
【請求項１】
建物の床開口部に設けられる荷受ステージであって、
所定階の床開口部に一端側で開閉可能に軸支されたステージ本体と、
当該所定階の直上階の躯体と前記ステージ本体の他端側とを連結するチェーンブロックと、を備え、
当該チェーンブロックのチェーンを巻き上げると、前記ステージ本体が開いた状態となり、前記チェーンを巻き出すと、前記ステージ本体が閉じた状態となることを特徴とする荷受ステージ。
【請求項２】
前記床開口部の周縁部には、貫通孔を有する支持片が設けられ、
前記ステージ本体の一端側には、貫通孔を有する回転片が設けられ、
前記支持片の貫通孔および前記回転片の貫通孔には、回転軸が挿通されることを特徴とする請求項１に記載の荷受ステージ。
【請求項３】
複数階を有する建物において、上下方向に並んで形成された各階の床開口部に設けられた請求項１または２に記載の荷受ステージを備える揚重システムであって、
最上階の前記ステージ本体の上方の躯体に設けられた揚重装置をさらに備えることを特徴とする揚重システム。
【発明の詳細な説明】
【技術分野】
【０００１】
本発明は、建物の床開口部に設けられる荷受ステージ、および、この荷受ステージを用いた揚重システムに関する。
【背景技術】
【０００２】
従来より、建物内部の床開口部で工事や揚重作業を行うため、床開口部にステージを設けることが提案されている（特許文献１〜３参照）。
特許文献１には、昇降式ステージ足場が示されている。この昇降式ステージ足場は、複数層に積層された枠組足場と、枠組足場間に脱着自在に架け渡されたステージ足場と、ステージ足場を昇降させる昇降装置と、を備える。昇降式ステージ足場では、作業の進捗状況や作業の種類に応じて、ステージ足場を任意の高さに架け渡す。
【０００３】
特許文献２には、荷取りステージが示されている。この荷取りステージは、建築物の開口より小さい本体と、本体に伸縮可能に取り付けられたスライド手段と、を備える。この荷取りステージでは、スライド手段を伸ばすと、本体が所定階の開口に係止し、所定階の荷取りステージとして使用可能であるが、スライド手段を縮めると、本体を揚重装置で吊り上げて他の階に盛り替え可能である。
【０００４】
特許文献３には、建築作業用昇降ステージが示されている。建築作業用昇降ステージは、作業台と、作業台を昇降させるウインチあるいは滑車に掛け回したワイヤーと、を備える。作業台には、両横に向かって張り出し収納可能な伸縮支持梁が設けられている。この建築作業用昇降ステージは、伸縮支持梁を張り出すと、作業台が建物の梁に係止し、伸縮支持梁を収納すると、ウインチで作業台を撤去可能となっている。
【先行技術文献】
【特許文献】
【０００５】
【特許文献１】特開２００８−１７４９０３号公報
【特許文献２】特開平１１−１５９１４９号公報
【特許文献３】特開平６−１２９０８９号公報
【発明の概要】
【発明が解決しようとする課題】
【０００６】
本発明は、建物内の床開口部に資材を置いたり、この床開口部を通して揚重したりできる荷受ステージおよび揚重システムを提供することを課題とする。
【課題を解決するための手段】
【０００７】
本発明者らは、建物の床開口部にステージ本体を設置するとともに、このステージ本体の直上階の躯体にチェーンブロックを設置し、そのチェーンブロックの下端にステージ本体を取り付けて、チェーンブロックでこのステージ本体を開閉することで、建物内に仮設エレベータを設置することなく、ステージ本体を開いた状態では、床開口部を通して資材の荷上げや荷下ろしが可能であり、ステージ本体を閉じて床開口部を塞いだ状態では、ステージ本体が作業床として利用できる点に着眼して、本発明に至った。
第１の発明の荷受ステージ（例えば、後述の荷受ステージ２０）は、建物（例えば、後述の建物１０）の床開口部（例えば、後述の床開口部１１）に設けられる荷受ステージであって、所定階の床開口部に一端側で開閉可能に軸支されたステージ本体（例えば、後述のステージ本体２１）と、当該所定階の直上階の躯体と前記ステージ本体の他端側とを連結するチェーンブロック（例えば、後述のチェーンブロック２２）と、を備え、当該チェーンブロックのチェーン（例えば、後述のチェーン２４）を巻き上げると、前記ステージ本体が開いた状態となり、前記チェーンを巻き出すと、前記ステージ本体が閉じた状態となることを特徴とする。
【０００８】
この発明によれば、ステージ本体を一端側で開閉可能に軸支し、このステージ本体の他端側にチェーンブロックを接続した。よって、チェーンブロックのチェーンを巻き上げてステージ本体を開いた状態では、床開口部を通して資材を揚重でき、チェーンブロックのチェーンを巻き出してステージ本体で床開口部を塞いだ状態では、ステージ本体上に資材を置くことができる。よって、建物内の床開口部に仮設エレベータを設置することなく、資材等を揚重できる。
【０００９】
第２の発明の荷受ステージは、前記床開口部の周縁部には、貫通孔（例えば、後述の貫通孔１６）を有する支持片（例えば、後述の支持片１５）が設けられ、前記ステージ本体の一端側には、貫通孔（例えば、後述の貫通孔４５）を有する回転片（例えば、後述の回転片４４）が設けられ、前記支持片の貫通孔および前記回転片の貫通孔には、回転軸（例えば、後述の回転軸１７）が挿通されることを特徴とする。
【００１０】
この発明によれば、床開口部の周縁部に支持片を設け、この支持片にステージ本体の回転片を回転軸で軸支したので、ステージ本体が容易に開閉可能となる。
【００１１】
第３の発明の揚重システム（例えば、後述の揚重システム１）は、複数階を有する建物において、上下方向に並んで形成された各階の床開口部に設けられた上述の荷受ステージを備える揚重システムであって、最上階の前記ステージ本体の上方の躯体に設けられた揚重装置（例えば、後述のホイスト３０）をさらに備えることを特徴とする。
【００１２】
この発明によれば、最上階のステージ本体（床開口部）の上方に、資材を揚重可能な揚重装置を設けた。よって、床開口部に仮設エレベータを設置しなくても、ステージ本体を開いておくことで、揚重装置により床開口部を通して資材を揚重できる。
【発明の効果】
【００１３】
本発明によれば、建物内の床開口部に資材を置いたり、この床開口部を通して揚重したりできる荷受ステージおよび揚重システムを提供できる。
【図面の簡単な説明】
【００１４】
【図１】本発明の一実施形態に係る揚重システムの立面図である。
【図２】図１の揚重システムの荷受ステージの平面図である。
【図３】図１の荷受ステージの骨組みを示す平面図である。
【図４】図１の荷受ステージの立面図である。
【図５】図４の破線Ａで囲まれた部分の拡大立面図および拡大水平断面図である。
【図６】図１の荷受ステージの動作を示す立面図である。
【発明を実施するための形態】
【００１５】
本発明は、建物の各階の床開口部に設けられた荷受ステージと、最上階の荷受ステージの上方に設けられた揚重装置と、を備える揚重システムである。荷受ステージは、建物の床開口部に一端側で軸支されたステージ本体と、ステージ本体の他端側に接続されたチェーンブロックと、を含んで構成される。チェーンブロックを巻き上げてステージ本体を開いた状態では、床開口部を通して資材の荷上げや荷下ろしが可能であり、チェーンブロックを巻き出してステージ本体を閉じた状態では、ステージ本体を作業床として使用できる。
以下、本発明の一実施形態について、図面を参照しながら説明する。
図１は、本発明の一実施形態に係る揚重システム１の立面図である。
揚重システム１は、構築中の建物１０に上下方向に並んで形成された各階の床開口部１１を通して資材を揚重するものである。この揚重システム１は、構築中の建物１０の各階の床開口部１１に設けられる荷受ステージ２０と、最上階の荷受ステージ２０の上方の躯体に設けられた揚重装置としてのホイスト３０と、を備える。
【００１６】
図２は、荷受ステージ２０の平面図である。図３は、荷受ステージ２０の骨組みを示す平面図である。図４は、図２の荷受ステージ２０の立面図である。
建物１０は、複数の柱１２、柱１２同士の間に架設された大梁１３、および、大梁１３同士の間に架設された小梁１４を備えている。床開口部１１は、３つの大梁１３および小梁１４で囲まれた開口である。以下、大梁１３のうち床開口部１１の周縁部を構成するものを大梁１３Ａ、１３Ｂ、１３Ｃとする。
【００１７】
荷受ステージ２０は、床開口部１１に一端側で開閉可能に軸支された３つのステージ本体２１と、当階の直上階の小梁１４とステージ本体２１の他端側とを連結する３対のチェーンブロック２２と、ステージ本体２１と床開口部１１との隙間を塞ぐ４つの隙間カバー２３と、を備える。
隙間カバー２３は、ステージ本体２１同士の間、および、ステージ本体２１と大梁１３Ａ、１３Ｃとの間に架設されている。
【００１８】
各ステージ本体２１は、矩形状であり、大梁１３Ｂと小梁１４との間に架設されている。ステージ本体２１は、Ｈ形鋼４１を格子状に接合して構成された矩形状の骨組み４０と、骨組み４０の上に設けられた鋼板４２と、骨組み４０の下面に設けられて大梁１３Ｂおよび小梁１４に当接する当接部４３と、を備える。
【００１９】
図５（ａ）は、図４の破線Ａで囲まれた部分の拡大立面図である。図５（ｂ）は、図４の破線Ａで囲まれた部分の拡大水平断面図である。
ステージ本体２１の一端側（小梁１４側）の角部には、それぞれ、貫通孔４５を有する回転片４４が設けられている。
床開口部１１の周縁部の小梁１４の上面には、ステージ本体２１の回転片に対向して、貫通孔１６を有する支持片１５が一対ずつ設けられている。支持片１５の貫通孔１６および回転片４４の貫通孔４５には、回転軸１７が挿通されており、これにより、ステージ本体２１が小梁１４に軸支されている。
【００２０】
ステージ本体２１の上面の四隅には、吊りピース４６が設けられている。ステージ本体２１の他端側（大梁１３Ａ側）の吊りピース４６には、チェーンブロック２２のチェーン２４が連結されている。
チェーンブロック２２のチェーン２４を巻き出すと、ステージ本体２１の他端側が下がって、ステージ本体２１が閉じた状態となる。一方、チェーン２４を巻き上げると、図６および図１中一点鎖線で示すように、ステージ本体２１の他端側が上方に引っ張られて、ステージ本体２１が開いた状態となる。
【００２１】
また、小梁１４の上フランジの下面には、ステージ受け１８が設けられており、ステージ本体２１が閉じた状態では、ステージ本体２１の当接部４３がステージ受け１８の上面に当接するようになっている。
ホイスト３０は、最上階のステージ本体２１の直上階の梁躯体（大梁１３）に設けられている。
【００２２】
以上の揚重システムは、以下のようにして使用する。
初期状態として、図１〜図５に示すように、荷受ステージ２０のステージ本体２１が閉じて、隙間カバー２３が取り付けられた状態とする。この状態では、荷受ステージ２０上に資材を載置することが可能となっている。
この状態から、隙間カバー２３を取り外し、チェーンブロック２２のチェーン２４を巻き上げると、ステージ本体２１が開いた状態となる。この状態では、ホイスト３０により、床開口部１１を通して資材の揚重が可能となる。
【００２３】
本実施形態によれば、以下のような効果がある。
（１）ステージ本体２１を一端側で開閉可能に軸支し、このステージ本体２１の他端側にチェーンブロック２２のチェーン２４を接続した。よって、チェーンブロック２２のチェーン２４を巻き上げてステージ本体２１を開いた状態では、床開口部１１を通して資材を揚重でき、チェーンブロック２２のチェーン２４を巻き出してステージ本体２１で床開口部１１を塞いだ状態では、ステージ本体２１上に資材を置くことができる。よって、建物内の床開口部に仮設エレベータを設置することなく、資材等を揚重できる。
【００２４】
（２）床開口部１１の周縁部の小梁１４に支持片１５を設け、この支持片１５にステージ本体２１の回転片４４を軸支したので、ステージ本体２１が容易に開閉可能となる。
（３）ステージ本体２１の上方に、資材を揚重可能なホイスト３０を設けた。よって、床開口部に仮設エレベータを設置しなくても、ステージ本体２１を開いておくことで、ホイスト３０により床開口部１１を通して資材を揚重できる。
【００２５】
なお、本発明は前記実施形態に限定されるものではなく、本発明の目的を達成できる範囲での変形、改良等は本発明に含まれるものである。
【符号の説明】
【００２６】
１…揚重システム  １０…建物  １１…床開口部
１２…柱  １３、１３Ａ、１３Ｂ、１３Ｃ…大梁  １４…小梁
１５…支持片  １６…貫通孔  １７…回転軸  １８…ステージ受け
２０…荷受ステージ  ２１…ステージ本体  ２２…チェーンブロック
２３…隙間カバー  ２４…チェーン  ３０…ホイスト（揚重装置）
４０…骨組み  ４１…Ｈ形鋼  ４２…鋼板  ４３…当接部  ４４…回転片
４５…貫通孔  ４６…吊りピース
【図１】
2020200731.tif 000003
【図２】
2020200731.tif 000004
【図３】
2020200731.tif 000005
【図４】
2020200731.tif 000006
【図５】
2020200731.tif 000007
【図６】
2020200731.tif 000008